(57)【要約】【課題】使用性を向上させる撮影装置および記録メディアを提供する。【解決手段】撮影操作を受けて、複数の撮影モードの中から設定された撮影モードに応じた撮影を行って画像データを生成する撮影装置において、撮影モード設定データが書き込まれているとともに画像データが書き込まれる記録メディアが挿抜自在に装填され装填された記録メディアをアクセスするメディアドライブと、メディアドライブに、そのメディアドライブに装填された記録メディアから撮影モード設定データを読み出させて、その撮影モード設定データに応じた操作モードを設定するモード設定部と、メディアドライブに、モード設定部により設定された撮影モードに応じた撮影によって生成された画像データをそのメディアドライブに装填されている記録メディアに記録させる画像記録部とを備える。【選択図】        図６
2006135761.tif 000002
【特許請求の範囲】
【請求項１】
撮影操作を受けて、複数の撮影モードの中から設定された撮影モードに応じた撮影を行って画像データを生成する撮影装置において、
撮影モード設定データが書き込まれているとともに画像データが書き込まれる記録メディアが挿抜自在に装填され装填された記録メディアをアクセスするメディアドライブと、
前記メディアドライブに、該メディアドライブに装填された記録メディアから撮影モード設定データを読み出させて、該撮影モード設定データに応じた操作モードを設定するモード設定部と、
前記メディアドライブに、前記モード設定部により設定された撮影モードに応じた撮影によって生成された画像データを該メディアドライブに装填されている記録メディアに記録させる画像記録部とを備えたことを特徴とする撮影装置。
【請求項２】
前記モード設定部は、前記メディアドライブへの記録メディアの装填を受けて該メディアドライブに該記録メディアから撮影モード設定データを読み出させ、該撮影モード設定データに応じた操作モードを設定するものであることを特徴とする請求項１記載の撮影装置。
【請求項３】
記録メディアが挿抜自在に装填され装填された記録メディアをアクセスするメディアドライブを備え、撮影操作を受けて、複数の撮影モードの中から設定された撮影モードに応じた撮影を行って該メディアドライブに装填されている記録メディアに画像データを記録する撮影装置の、該メディアドライブに装填される記録メディアであって、
前記撮影装置の撮影モード設定用の撮影モード設定データが書き込まれた第１の記憶領域と、画像データが書き込まれる第２の記憶領域とを有するものであることを特徴とする記録メディア。
【請求項４】
前記第１の記憶領域は、書換不能領域であることを特徴とする請求項３記載の記録メディア。
【請求項５】
前記第１の記憶領域は、画素数を設定するデータを含む撮影モード設定データが書き込まれた領域であることを特徴とする請求項３記載の記録メディア。
【請求項６】
前記第１の記憶領域は、撮影枚数を設定するデータを含む撮影モード設定データが書き込まれた領域であることを特徴とする請求項３記載の記録メディア。
【請求項７】
前記第１の記憶領域は、画像データを記録する際のフォーマットを設定するデータを含む撮影モード設定データが書き込まれた領域であることを特徴とする請求項３記載の記録メディア。
【請求項８】
前記第１の記憶領域は、撮影感度を設定するデータを含む撮影モード設定データが書き込まれた領域であることを特徴とする請求項３記載の記録メディア。
【請求項９】
前記第１の記憶領域は、画像データの色情報に関する設定を行うためのデータを含む撮影モード設定データが書き込まれた領域であることを特徴とする請求項３記載の記録メディア。
【請求項１０】
前記第１の記憶領域は、連写モードに関する設定を行うためのデータを含む撮影モード設定データが書き込まれた領域であることを特徴とする請求項３記載の記録メディア。
【発明の詳細な説明】
【技術分野】
【０００１】
本発明は、設定された撮影モードに応じた撮影を行って画像データを生成する撮影装置、および撮影装置のメディアドライブに装填される記録メディアに関する。
【背景技術】
【０００２】
近年、デジタルカメラを中心とする撮影装置や、その撮影装置を構成する様々な素子に関する技術が急速に発展してきている。こうした撮影装置の多くには、撮影により得られた画像データを保存するために記録メディアが用いられており、撮影装置には記録メディアが装填されてアクセスされるメディアドライブが備えられている。
【０００３】
撮影装置の中には、種類の異なる複数の記録メディアを装填できる機構を備え、撮影した画像の画像データの種類や容量あるいは記録メディアの特性などに応じて、画像データを保存する方式が自動的に変更されるような工夫がなされているものもある（例えば、特許文献１、特許文献２および特許文献３参照）。
【０００４】
最近のデジタルカメラなどの撮影装置は、操作方法が簡単になってはきてはいるが、撮影装置のユーザの中には、こうした撮影装置の操作方法は難解であると感じるユーザも多い。撮影装置の操作方法が難しく感じられる理由の一つとして、ユーザにとって選択可能な様々な機能が増えるにつれて、たくさんの機能の中から特定の機能を選択・設定する手段が煩雑になっていることを挙げることができる。このため、特許文献１、特許文献２および特許文献３のように、画像データを保存する方式の設定が自動的に行われる工夫がなされていると、ユーザが自分で特定の保存方式を選択・設定する手間が省け、撮影装置の使用性が高くなる。
【特許文献１】特開２００１−２２３９７７号公報
【特許文献２】特開２００１−２４５２４８号公報
【特許文献３】特開２００３−６１０１８号公報
【発明の開示】
【発明が解決しようとする課題】
【０００５】
このような工夫をさらに推し進めて、画像データの保存方式にとどまらず、撮影装置の様々な機能や設定を自動的に行えると便利である。
【０００６】
本発明は、上記事情に鑑み、使用性を向上させる撮影装置および記録メディアを提供することを目的とする。
【課題を解決するための手段】
【０００７】
上記目的を達成するための本発明の撮影装置は、
撮影操作を受けて、複数の撮影モードの中から設定された撮影モードに応じた撮影を行って画像データを生成する撮影装置において、
撮影モード設定データが書き込まれているとともに画像データが書き込まれる記録メディアが挿抜自在に装填され装填された記録メディアをアクセスするメディアドライブと、
上記メディアドライブに、該メディアドライブに装填された記録メディアから撮影モード設定データを読み出させて、該撮影モード設定データに応じた操作モードを設定するモード設定部と、
上記メディアドライブに、上記モード設定部により設定された撮影モードに応じた撮影によって生成された画像データを該メディアドライブに装填されている記録メディアに記録させる画像記録部とを備えたことを特徴とする。
【０００８】
本発明の撮影装置は、ユーザの好みの撮影モードの撮影モード設定データが書き込まれている記録メディアをメディアドライブに装填し、その撮影モード設定データを読み出すだけで撮影装置を好みの撮影モードに設定できる。このため、本発明の撮影装置を用いることにより、撮影モードを設定する手間が省け撮影装置の使用性を向上させることができる。
【０００９】
また、本発明の撮影装置は、上記モード設定部は、上記メディアドライブへの記録メディアの装填を受けて該メディアドライブに該記録メディアから撮影モード設定データを読み出させ、該撮影モード設定データに応じた操作モードを設定するものであってもよい。
【００１０】
このようにメディアドライブへの記録メディアの装填とともに自動的に撮影モードを設定できる機構を備えることで、撮影装置の使用性をより一層向上することができる。
【００１１】
また、上記目的を達成するための本発明の記録メディアは、
記録メディアが挿抜自在に装填され装填された記録メディアをアクセスするメディアドライブを備え、撮影操作を受けて、複数の撮影モードの中から設定された撮影モードに応じた撮影を行って該メディアドライブに装填されている記録メディアに画像データを記録する撮影装置の、該メディアドライブに装填される記録メディアであって、
上記撮影装置の撮影モード設定用の撮影モード設定データが書き込まれた第１の記憶領域と、画像データが書き込まれる第２の記憶領域とを有するものであることを特徴とする。
【００１２】
本発明の記録メディアは、撮影装置のメディアドライブに装填されて、その撮影装置に本発明の記録メディアに書き込まれた撮影モード設定データを読み出させるだけでその撮影装置をユーザの好みの撮影モードに設定できるため、撮影装置の撮影モードを設定する手間が省き、撮影装置の使用性を向上させることができる。
【００１３】
また、本発明の記録メディアは、上記第１の記憶領域は、書換不能領域であるものであってもよい。
【００１４】
このように撮影装置の撮影モードを設定する重要な役割を果たす撮影モード設定データを書換不能領域に設けることにより、誤って撮影モード設定データを消去してしまう危険を避けることができ、安全性を確保できる。
【００１５】
また、本発明の記録メディアは、上記第１の記憶領域は、画素数を設定するデータを含む撮影モード設定データが書き込まれた領域であってもよい。
【００１６】
このように画素数を設定することで、最高数の画素を用いて撮影を行ういわゆるきれい撮り、０．３Ｍの容量を用いるいわゆるスナップ撮り、１Ｍの容量を用いる１Ｍ撮りなどの様々な形態の撮影モードを、ユーザは手間をかけずに設定することができる。
【００１７】
また、本発明の記録メディアは、上記第１の記憶領域は、撮影枚数を設定するデータを含む撮影モード設定データが書き込まれた領域であってもよい。
【００１８】
あらかじめ撮影枚数が決まっている場合には、このような撮影モード設定データが書き込まれた本発明の記録メディアを用いることにより、ユーザは手間をかけずに撮影枚数の設定を行うことができる。
【００１９】
また、本発明の記録メディアは、上記第１の記憶領域は、画像データを記録する際のフォーマットを設定するデータを含む撮影モード設定データが書き込まれた領域であってもよい。
【００２０】
このようなフォーマットを設定するデータが書き込まれた本発明の記録メディアを用いることで、動画用フォーマットやＲＡＷ記録用フォーマットなどの様々なフォーマットや圧縮に関する設定を、手間を省いて行うことができる。
【００２１】
また、本発明の記録メディアは、上記第１の記憶領域は、撮影感度を設定するデータを含む撮影モード設定データが書き込まれた領域であってもよい。
【００２２】
夜景を背景にした撮影、いわゆる夜景撮りのように、撮影の際にユーザにとって望ましい撮影感度が決まっている場合には、このような撮影モード設定データが書き込まれた本発明の記録メディアを用いることにより、ユーザは手間をかけずに好みの撮影感度の設定を行うことができる。
【００２３】
また、本発明の記録メディアは、上記第１の記憶領域は、画像データの色情報に関する設定を行うためのデータを含む撮影モード設定データが書き込まれた領域であってもよい。
【００２４】
このような色情報に関する設定を行うためのデータが書き込まれた本発明の記録メディアを用いることで、モノクロやセピアなど、画像の色彩を変化させた撮影を、撮影モードを設定する手間を省いて行うことができる。
【００２５】
また、本発明の記録メディアは、上記第１の記憶領域は、連写モードに関する設定を行うためのデータを含む撮影モード設定データが書き込まれた領域であってもよい。
【００２６】
このような連写モードに関する設定を行うためのデータが書き込まれた本発明の記録メディアを用いることで、高速連写やサイクル連写といった様々な連写モードの設定を、手間を省いて行うことができる。
【発明の効果】
【００２７】
本発明の撮影装置および記録メディアによれば、使用性を向上させることができる。
【発明を実施するための最良の形態】
【００２８】
［第一実施形態］
以下、本発明の撮影装置および記録メディアの一実施形態を説明する。本実施形態の撮影装置は、本実施形態の記録メディアから撮影モード設定データを読み込むことによって各種の撮影モードの設定が自動的に行われるデジタルカメラであるとともに、本実施形態の記録メディア以外の汎用の記録メディアを用いる場合には、従来のデジタルカメラのようにユーザが自分で撮影モードを設定することもできるデジタルカメラである。ここでは、このデジタルカメラの実施形態およびこのデジタルカメラの撮影モードの設定を行うために用いられる記録メディアの実施形態を、第一実施形態として説明する。
【００２９】
図１は、本発明の撮影装置の一実施形態であるデジタルカメラを前面斜め上から見た外観斜視図であり、図２は、このデジタルカメラを背面斜め上から見た外観斜視図である。
【００３０】
図１に示すように、このデジタルカメラ１００の前面中央部には、撮影レンズ１０１が備えられている。また、このデジタルカメラ１００の前面上部には、被写体を視認するための光学式ファインダ対物窓１０２と、明るさが足りない撮影環境で用いられる補助光発光部１０３とが備えられている。さらに、このデジタルカメラ１００の上面には、スライド式の電源スイッチ１０４およびレリーズスイッチ１５０が備えられている。
【００３１】
また、図２に示すように、このデジタルカメラ１００の背面には、被写体を視認するための光学式ファインダ接眼窓１０６、画像が表示されるＬＣＤ１３０、再生モードの選択を行うためのスライド式のモードスイッチ１９０、ズームの調整を行うためのズームレバー１９２が備えられている。さらに撮影時に状況に応じて選択的に用いられるボタンとして、至近距離での撮影に用いられるマクロボタン１９１と、補助光発光部１０３を作動させるためのストロボボタン１９３とが設けられている。そしてこれらのボタンの下側には、撮影モードの設定を行うためのメニューボタン１６０と撮影モードボタン１７０とが備えられ、さらにＬＣＤ１３０上に画像を表示させるための表示ボタン１８０が設けられている。またこのデジタルカメラ１００の下面には、本実施形態の記録メディアが装填されるスロット２００が備えられている。
【００３２】
図３は、図１および図２に外観を示すデジタルカメラの概略構成図である。
【００３３】
図３に示すように本実施形態のデジタルカメラ１００は、その構成上、大きく分けて撮影光学系１１０と信号処理部１２０とに分かれる。これらに加えて、被写体像を表示するＬＣＤ１３０、ＬＣＤ１３０に被写体像を表示させる表示ボタン１８０、レリーズスイッチ１５０、および撮影した画像データの記録やこのデジタルカメラ１００の撮影モードの設定を行うための記録メディア１４０が備えられている。本実施形態のデジタルカメラ１００では、この記録メディア１４０を用いることによって、ユーザは自動的に各種の撮影モードを設定できるが、それとともにこの記録メディア１４０を装填していない状態では、撮影モードボタン１７０、メニューボタン１６０によって、ユーザは自分で各種の撮影モードを選択して設定することもできる。また、このデジタルカメラ１００には、図３には不図示であるが、図２の外観図では示されている、再生モードの選択を行うためのモードスイッチ１９０、ズームの調整を行うためのズームレバー１９２、至近距離での撮影に用いられるマクロボタン１９１、および図１に示す補助光発光部１０３を作動させるためのストロボボタン１９３が設けられており、これらは必要に応じて用いられる。
【００３４】
以下では、撮影光学系１１０と信号処理部１２０それぞれの説明を行った後、記録メディア１４０に書き込まれた撮影モード設定データが読み込まれてこのデジタルカメラ１００の撮影モードとして設定される過程について説明する。
【００３５】
まず撮影光学系１１０の構成を、図３を参照して説明する。本実施形態のデジタルカメラ１００では、図３の左方から被写体光が入射し、ズームレンズ１１５およびフォーカスレンズ１１４を経て、シャッタ１１２が開いている場合は、撮像素子としてのＣＣＤ１１１に結像する。本来撮影光学系には複数のレンズが配備されるが、この図３では焦点距離の変化に係わるレンズをズームレンズ１１５として模式的に示しており、同じくピントの調節に係わるレンズをフォーカスレンズ１１４として模式的に示している。このズームレンズ１１５、フォーカスレンズ１１４はそれぞれ後述する信号処理部１２０からの信号に基づいて移動することが自在な構成になっていて、ズームレンズ１１５、フォーカスレンズ１１４とも信号処理部１２０からの信号に基づいて各位置に配置されるようになっている。このズームレンズ１１５、フォーカスレンズ１１４、およびシャッタ１１２は、ズームモータ１１５ａ、フォーカスモータ１１４ａ、およびシャッタモータ１１２ａによりそれぞれ駆動され移動する。これらズームモータ１１５ａ、フォーカスモータ１１４ａ、およびシャッタモータ１１２ａを作動させる指示は信号処理部１２０中のデジタル信号処理部１２０ｂからドライバ１２０ｃを通じて伝達される。
【００３６】
フォーカスレンズ１１４は、本実施形態のデジタルカメラ１００が有するＴＴＬＡＦ（Ｔｈｒｏｕｇｈ  Ｔｈｅ  Ｌｅｎｓ  Ａｕｔｏ  Ｆｏｃｕｓ）機能が作動したときに光軸方向に前後に移動するものであり、このＴＴＬＡＦ機能によりピント調節が行なわれる。このＴＴＬＡＦ機能とはフォーカスレンズ１１４を、被写体距離の最遠点に対応する位置から被写体距離の至近点に対応する位置まで移動させることにより変化する被写界のコントラストを、後述する信号処理部１２０のＡＦ／ＡＥ演算部１２６で検出して、そのコントラストのピークが得られる位置をピント位置としてそのフォーカスレンズ１１４をそのピント位置に調節するものである。ズームレンズ１１５は、光軸方向に移動して撮影倍率を決定する。
【００３７】
以上が撮影光学系１１０の構成についての説明である。
【００３８】
続いて信号処理部１２０の構成を説明する。撮影光学系でＣＣＤ１１１に結像させた被写体像が画像信号としてアナログ処理（Ａ／Ｄ）部１２０ａに読み出され、このアナログ処理部（Ａ／Ｄ）１２０ａでアナログ信号がデジタル信号に変換されデジタル信号処理部１２０ｂへと供給される。デジタル信号処理部１２０ｂにはシステムコントローラ１２１が配備されており、そのシステムコントローラ１２１内の動作の手順を示したプログラムにしたがってデジタル信号処理部１２０ｂ内の信号処理が行なわれる。このシステムコントローラ１２１と、画像信号処理部１２２、表示用画像処理部１２３、画像圧縮部１２４、メディアコントローラ１２５、ＡＦ／ＡＥ演算部１２６、キーコントローラ１２７、バッファメモリ１２８、内部メモリ１２９との間のデータの受け渡しはバス１２００を介して行なわれ、そのバス１２００を介してデータの受け渡しが行なわれるときのバッファとして内部メモリ１２９が働いている。この内部メモリ１２９に各部の処理プロセスの進行状況に応じて変数となるデータが随時書き込まれて、システムコントローラ１２１、および画像信号処理部１２２、表示用画像処理部１２３、画像圧縮部１２４、メディアコントローラ１２５、ＡＦ／ＡＥ演算部１２６、キーコントローラ１２７の各部では、そのデータを参照することにより適切な処理が行なわれる。つまり、システムコントローラ１２１からの指示がバス１２００を介して上記の各部に伝えられ、各部の処理プロセスが立ち上げられる。そして、その内部メモリ１２９のデータがプロセスの進行状況に応じて書き換えられ、さらにシステムコントローラ１２１側で参照されて上記の各部の動作が管理される。言い換えれば、電源が投入され、システムコントローラ１２１内のプログラムの手順にしたがって各部のプロセスが立ち上げられる。たとえば、レリーズスイッチ１５０、メニュースイッチ１６０、実行／画面切換スイッチ１７０のスイッチが操作されると、その操作されたという情報がキーコントローラ１２７を経由してシステムコントローラ１２１に伝えられ、その操作に応じた処理がシステムコントローラ１２１内のプログラムの手順にしたがって行われる。
【００３９】
以上が信号処理部１２０の構成についての説明である。
【００４０】
次に記録メディア１４０に書き込まれた撮影モード設定データが読み込まれてこのデジタルカメラ１００の撮影モードとして設定される過程について説明する。
【００４１】
図２に示すスロット２００に装填された記録メディア１４０は、後述するように様々な撮影モード設定データが書き込まれることができる構成になっており、この記録メディア１４０に書き込まれた撮影モード設定データは、デジタルカメラ１００の電源がオンの時に記録メディア１４０がスロット２００に装填された場合、および記録メディア１４０がスロット２００に装填された後でデジタルカメラ１００の電源がオンになった場合に、自動的にメディアコントローラ１２５によって読み出されてバス１２００を介して内部メモリ１２９に蓄えられる。この内部メモリ１２９に蓄えられた撮影モード設定データに基づき、システムコントローラ１２１が、システムコントローラ１２１内のプログラムの手順にしたがって記録メディア１４０に書き込まれた撮影モードを設定するために必要な指示を与えて撮影モードの設定が行われる。この撮影モードの設定の具体的な内容については、記録メディア１４０の有する撮影モード設定データの内容の説明において後述する。
【００４２】
本実施形態の記録メディア１４０は、後述するように撮影モード設定データが書き込まれている記憶領域だけでなく、撮影が行われて被写体像が記録される記憶領域も有している。以下では、撮影が行われて被写体像がこの記録メディア１４０の撮影用の記憶領域に記録される過程について説明する。レリーズ操作が行われると、ＣＣＤ１１１から読み出された画像信号は、アナログ処理（Ａ／Ｄ）部１２０ａでアナログ信号からデジタル信号に変換され、このデジタル化された画像データのＲＧＢ信号が画像信号処理部１２２でＹＣ信号に変換される。さらに画像圧縮部１２４で画像データの圧縮が行なわれ、この圧縮された画像データが画像ファイルとなってメディアコントローラ１２５を介して記録メディア１４０に記録される。この画像ファイルとして記録された画像データは、表示用画像処理部１２３を通じてＬＣＤ１３０において再生される。
【００４３】
次に本実施形態で用いられる記録メディア１４０の構成について説明する。
【００４４】
図４は、本実施形態で用いられる記録メディアの概略構成図である。
【００４５】
記録メディア１４０は、大きく分けて撮影モード設定データが書き込まれている書換不能な記憶領域１４０１と、被写体像が記録される書換可能な記憶領域１４０２とからなる記憶領域を有している。さらに書換不能な記憶領域１４０１は、異なる撮影モードごとに撮影モード設定データが書き込まれる構成になっている。
【００４６】
本実施形態の記録メディア１４０では、このように撮影モードを設定する重要な役割を果たす撮影モード設定データを書換不能領域に設けることにより、誤って撮影モード設定データを消去してしまう危険を避けることができ、安全性を確保できる。
【００４７】
この書換不能な記憶領域１４０１は、具体的には図４において書換不能な記憶領域１４０１についての吹き出しの中に示すように、撮影に用いられる画素数を設定するデータが書き込まれる記憶領域１４０１ａ、撮影枚数を設定するデータが書き込まれる記憶領域１４０１ｂ、フォーマットを設定するデータが書き込まれる記憶領域１４０１ｃ、撮影感度を設定するデータが書き込まれる記憶領域１４０１ｄ、画像データの色情報に関する設定を行うためのデータが書き込まれる記憶領域１４０１ｅ、連写モードに関する設定を行うためのデータが書き込まれる記憶領域１４０１ｆの６つの領域から構成されている。これらの領域のいずれかに撮影モード設定データが書き込まれている場合は、その撮影モード設定データが図３に示すメディアコントローラ１２５によって読み出されてバス１２００を介して内部メモリ１２９に蓄えられる。この内部メモリ１２９に蓄えられた撮影モード設定データに基づき、システムコントローラ１２１が、システムコントローラ１２１内のプログラムの手順にしたがって記録メディア１４０に書き込まれた撮影モードを設定するために必要な指示を与えて撮影モードの設定が行われる。具体的には、記憶領域１４０１ａに撮影に用いられる画素数を設定するデータが書き込まれている場合、記憶領域１４０１ｂに撮影枚数を設定するデータが書き込まれている場合、記憶領域１４０１ｄに撮影感度を設定するデータが書き込まれている場合、および記憶領域１４０１ｅに画像データの色情報に関する設定を行うためのデータが書き込まれている場合には、システムコントローラ１２１が、画像信号処理部１２２にそれぞれの撮影モード設定データに対応する指示を出し、画像信号処理部１２２が画像データを処理するそれぞれの方法が設定される。また、記憶領域１４０１ｃにフォーマットを設定するデータが書き込まれている場合には、システムコントローラ１２１が、この設定データに対応したフォーマットや圧縮を行うようメディアコントローラ１２５や画像圧縮部１２４に指示を出す。また、記憶領域１４０１ｆに連写モードに関する設定を行うためのデータが書き込まれている場合には、システムコントローラ１２１が、この設定データに対応した連写スピードに応じた画像信号の送信を行うよう、ドライバ１２０ｃを介してＣＣＤ１１１に指示を与える。
【００４８】
本実施形態の記録メディア１４０では、上記の６つの領域のうち、撮影に用いられる画素数を１Ｍ撮り用の画素数に設定するための設定データが、記憶領域１４０１ａに書き込まれており、デジタルカメラ１００の電源がオンの時にこの記録メディア１４０がスロット２００に装填された場合、および記録メディア１４０がスロット２００に装填された後でデジタルカメラ１００の電源がオンになった場合に、撮影に用いられる画素数が１Ｍ撮り用の画素数に自動的に設定される。
【００４９】
続いてこの記録メディア１４０を前述のデジタルカメラ１００において使用する際に図２および図３に示すＬＣＤ１３０に表示される画面について説明する。
【００５０】
図５は、図１および図２に外観図を示し、図３にその構成図を示したデジタルカメラにおいて、図４に構成図を示した記録メディアを用いた際にＬＣＤ上に表示される画面を表す図である。
【００５１】
図５（ａ）は、デジタルカメラの電源がオンの時に本実施形態の記録メディアを図１に示すスロットに装填した時に、ＬＣＤ上に表示される画面を表す図である。
【００５２】
図５（ａ）に示すように、デジタルカメラ１００の電源がオンの時に記録メディア１４０を図２に示すスロット２００に装填すると、その記録メディア１４０に書き込まれた撮影モード設定データが図３に示すメディアコントローラによって読み出されて内部メモリ１２９に蓄えられた後、システムコントローラ１２１が、システムコントローラ１２１内のプログラムの手順に従い表示用画像処理部１２３に指示を出すことによって、自動的に記録メディア１４０に書き込まれた撮影モードの内容がＬＣＤ上に表示される。このようなＬＣＤ上での表示の内容もその撮影モード設定データに書き込まれている。
【００５３】
図５（ｂ）は、図５（ａ）に示す画面に引き続いて、画素数の設定画面を表示させた際の画面を表す図である。
【００５４】
記録メディア１４０を図２に示すスロット２００に装填した状態で、デジタルカメラ１００に備えられている撮影モードの設定機能を利用するため図２および図３に示す、撮影モードボタン１７０およびメニューボタン１６０を用いて画素数の設定画面を表示させると、記録メディア１４０を用いない場合の通常の設定画面のメニューが表示される。これらのメニューは、ユーザが好みの設定を選択できるようにするために、システムコントローラ１２１内のプログラムに従い表示用画像処理部１２３がＬＣＤ１３０上に表示させるものであるが、記録メディア１４０を用いると、これらのメニューのうち記録メディア１４０で指定された特定の撮影モードが選択されて固定された状態になる。図５（ｂ）では、画素数の設定画面において、本来は撮影枚数が４２枚、８１枚、１００枚、１３７枚の４つの選択肢がある中で、図において薄く塗りつぶされているように１Ｍ撮り用の画素数に対応した１００枚の撮影モードが選択されている。
【００５５】
図５（ｃ）は、図５（ｂ）に示す画面において１Ｍ撮り用の画素数以外の画素数を選択しようとすると表示される画面である。
【００５６】
図５（ｂ）に示す４つの選択肢のうち、１Ｍ撮り用の画素数以外の選択肢を選択しようとすると、図５（ｃ）のように現在デジタルカメラ１００に装填されている記録メディア１４０に書き込まれた撮影モードの内容が表示され、この撮影モードから変更できないように撮影モードが固定された様子が表されている。
【００５７】
続いてこのデジタルカメラ１００と記録メディア１４０を用いて実行される作業の過程をフローチャートを用いて説明する。
【００５８】
図６は、図１および図２に外観を示すデジタルカメラの撮影モードの設定作業の流れを表すフローチャートを表す図である。
【００５９】
まず、デジタルカメラ１００において記録メディア１４０の装填の有無がステップＳ１０１において判定され、装填されていない場合は、ステップＳ１０１においてＮｏが選択され、記録メディア１４０を用いない通常の設定機能を用いてユーザが自分で撮影モードの選択および設定をして（ステップＳ１０２）、撮影が行われる。記録メディア１４０が装填されている場合は、ステップＳ１０１においてＹｅｓが選択され、記録メディア１４０に書き込まれた撮影モード設定データがデジタルカメラ１００内の、図３に示すメディアコントローラ１２５によって読み出されて（ステップＳ１０３）、読み込まれた撮影モード設定データがバス１２００を介して図３に示す内部メモリ１２９に蓄えられる（ステップＳ１０４）。そして、図３に示すシステムコントローラ１２１がこの内部メモリ１２９に蓄えられた撮影モード設定データを読み込んで設定を行う（ステップＳ１０５）。本実施形態のように画素数を設定する場合は、システムコントローラ１２１は図３に示す画像処理部１２２に画素数を設定するために必要な指示を出して、画像処理部１２２の行う処理の方法が固定される。そして図５において説明したように、記録メディア１４０に書き込まれた撮影モードの内容がＬＣＤ上に表示され、記録メディア１４０を用いない通常のメニュー項目は、設定画面において記録メディア１４０で指定されるメニュー項目を除いて選択できないように設定不可になる（ステップＳ１０６）。これらステップＳ１０３からステップＳ１０６までの過程は、記録メディア１４０が装填されると自動的に行われる過程であり、このような過程により設定作業が終了して撮影が行われる。
【００６０】
本実施形態のデジタルカメラ１００は、従来のデジタルカメラのようにユーザが自分で
ユーザの好みの撮影モードを選択して設定することもできるが、本実施形態で説明したようにユーザの好みの撮影モード設定データが書き込まれている記録メディア１４０をスロット２００に装填するだけで自動的に好みの撮影モードに設定できるため、ユーザが自分で撮影モードを選択して設定するよりも、設定の手間が省け撮影装置の使用性を向上させることができる。
【００６１】
以上が、本発明の撮影装置および記録メディアの一実施形態の説明である。本実施形態
の記録メディア１４０では、記録メディア１４０の撮影モードの設定データを読み込んで図３に示すシステムコントローラ１２１内のプログラムの手順にしたがってシステムコントローラ１２１がその撮影モードの設定作業が行われるが、、本発明の記録メディアは、あらかじめ記録メディア中に撮影モード設定データとして撮影モード設定プログラムが書き込まれており、この撮影モード設定プログラムが撮影装置に読み込まれて実行される記録メディアであってもよい。
［第二実施形態］
以下、本発明の撮影装置および記録メディアの第二の実施形態について説明する。本実施形態の記録メディアは、第一実施形態において説明した記録メディア１４０と同一であるが、本実施形態の撮影装置は、第一実施形態において説明したデジタルカメラ１００とは異なり、記録メディア１４０から撮影モード設定データを読み込むことによってのみ各種の撮影モードの設定が行われるデジタルカメラである。このデジタルカメラを前面斜め上から見た外観斜視図は、図１に示す外観斜視図と同じであり、従ってこのデジタルカメラ１００’の前面斜め上から見た外観斜視図は、図１を参照することとし、このデジタルカメラ１００’の前面斜め上から見た外観斜視図の図示は省略する。
【００６２】
図７は、記録メディアから撮影モード設定データを読み込むことによってのみ各種の撮影モードの設定が行われるデジタルカメラを背面斜め上から見た外観斜視図である。
【００６３】
図７に示す、本実施形態のデジタルカメラ１００’の外観図において、図１および図２に外観図を示した第一実施形態のデジタルカメラ１００の、図面上の構成要素と同一の構成要素には同一の符号を付して示し、同一の構成要素についての重複説明は省略する。図７において、図２に示した第一実施形態のデジタルカメラ１００の外観図と異なる点は、図７では、図２に示す撮影モードの選択および設定を行うための撮影モードボタン１７０とメニューボタン１６０、およびＬＣＤ１３０に被写体像を表示させる図２に示す表示ボタン１８０が備えられていない点である。本実施形態のデジタルカメラ１００’は、第一実施形態において説明したデジタルカメラ１００とは異なり、記録メディア１４０から撮影モード設定データを読み込むことによってのみ各種の撮影モードの設定が行われるため、撮影モードを設定するための撮影モードボタン１７０とメニューボタン１６０は必要ではなく、またＬＣＤ１３０上への被写体像の表示も記録メディア１４０によって選択された撮影モードとともに自動的に行われるため、表示ボタン１８０は備えられていなくてもＬＣＤ１３０の表示機能は自動的に発揮されることになる。
【００６４】
続いてこのデジタルカメラ１００’の構成について説明する。
【００６５】
図８は、図７に外観を示すデジタルカメラの概略構成図である。
【００６６】
図８に示す、本実施形態のデジタルカメラ１００’の概略構成図においても、図３に概略構成図を示した第一実施形態のデジタルカメラ１００の、図面上の構成要素と同一の構成要素には同一の符号を付して示し、同一の構成要素についての重複説明は省略する。図８において、図３に示した第一実施形態のデジタルカメラ１００の概略構成図と異なる点は、図７において説明したように、図２および図３に示す撮影モードボタン１７０とメニューボタン１６０、および表示ボタン１８０が、図８に示す本実施形態のデジタルカメラ１００’には備えられてはおらず、撮影モードが設定される過程において、デジタルカメラ１００’では信号処理部１２０’の有するデジタル信号処理部１２０ｂ’内のシステムコントローラ１２１’が、記録メディア１４０がデジタルカメラ１００’に装填された時にのみ撮影モードを設定するために必要な指示を、画像信号処理部１２２’、表示用画像処理部１２３’、画像圧縮部１２４’、メディアコントローラ１２５’、ドライバ１２０ｃ’、キーコントローラ１２７’に与え、このためデジタルカメラ１００の電源がオンの時に記録メディア１４０がデジタルカメラ１００’に装填された場合、および記録メディア１４０がデジタルカメラ１００’に装填された後でデジタルカメラ１００’の電源がオンになった場合にのみこれらの撮影モードの設定が各部において行われるて撮影や画像の再生が可能になる点である。この点を除いては、撮影が行われて被写体像がこの記録メディア１４０の撮影用の記憶領域に記録される過程や、記録メディア１４０に書き込まれた撮影モード設定データが読み込まれてこのデジタルカメラ１００’の撮影モードとして設定される過程は、第一実施形態において説明した過程と同じでありここでは重複説明は省略する。
【００６７】
続いてこのデジタルカメラ１００’と記録メディア１４０を用いて実行される作業の過程をフローチャートを用いて説明する。
【００６８】
図９は、図７に外観を示すデジタルカメラの撮影モードの設定作業の流れを表すフローチャートを表す図である。
【００６９】
まず、デジタルカメラ１００において記録メディア１４０の装填の有無がステップＳ２０１において判定され、装填されていない場合は、撮影モードの設定を行うことはできず、撮影や画像の再生を実行することはできない（ステップＳ２０２）。記録メディア１４０が装填されている場合は、ステップＳ２０１においてＹｅｓが選択され、記録メディア１４０に書き込まれた撮影モード設定データがデジタルカメラ１００’内の、図８に示すメディアコントローラ１２５’によって読み出されて（ステップＳ２０３）、読み込まれた撮影モード設定データがバス１２００を介して図８に示す内部メモリ１２９’に蓄えられる（ステップＳ２０４）。そして、図８に示すシステムコントローラ１２１’がこの内部メモリ１２９’に蓄えられた撮影モード設定データを読み込んで設定を行う（ステップＳ２０５）。記録メディア１４０に書き込まれた画素数設定の場合は、システムコントローラ１２１は図３に示す画像処理部１２２’に画素数を設定するために必要な指示を出して、画像処理部１２２’の行う処理の方法が固定される。そして、図５（ａ）において説明したように、記録メディア１４０に書き込まれた撮影モードの内容がＬＣＤ１３０上に表示される（Ｓ２０６）。これらステップＳ２０３からステップＳ２０６までの過程は、記録メディア１４０が装填されると自動的に行われる過程であり、このような過程により設定作業が終了して撮影が行われる。
【００７０】
本実施形態のデジタルカメラ１００’は、従来のデジタルカメラのようにユーザが自分でユーザの好みの撮影モードを選択して設定することはできないが、ユーザの好みの撮影モード設定データが書き込まれている記録メディア１４０をスロット２００に装填するだけで自動的に撮影装置を好みの撮影モードに設定できるため、図２に示す撮影モードボタン１７０とメニューボタン１６０のような撮影モードの選択および設定を行うためのボタンやスイッチは必要なく、デジタルカメラの操作方法は難解であると感じるユーザでも容易に撮影モードの選択・設定を行うことができ、デジタルカメラの使用性を向上させることができる。
【図面の簡単な説明】
【００７１】
【図１】第一実施形態のデジタルカメラを背面斜め上から見た外観斜視図である。
【図２】第一実施形態ののデジタルカメラを背面斜め上から見た外観斜視図である。
【図３】図１および図２に外観を示すデジタルカメラの概略構成図である。
【図４】記録メディアの概略構成図である。
【図５】図１および図２に外観図を示し、図３にその構成図を示したデジタルカメラにおいて、図４に構成図を示した記録メディアを用いた際にＬＣＤ上に表示される画面を表す図である。
【図６】図１および図２に外観を示すデジタルカメラの撮影モードの設定作業の流れを表すフローチャートを表す図である。
【図７】記録メディアから撮影モード設定データを読み込むことによってのみ各種の撮影モードの設定が行われるデジタルカメラを背面斜め上から見た外観斜視図である。
【図８】図７に外観を示すデジタルカメラの概略構成図である。
【図９】図７に外観を示すデジタルカメラの撮影モードの設定作業の流れを表すフローチャートを表す図である。
【符号の説明】
【００７２】
１００、１００’  デジタルカメラ
１０１  撮影レンズ
１０２  光学式ファインダ対物窓
１０３  補助光発光部
１０４  電源スイッチ
１０６  光学式ファインダ接眼窓
１１０  撮影光学系
１１１  ＣＣＤ
１１２  シャッタ
１１２ａ  シャッタモータ
１１４  フォーカスレンズ
１１４ａ  フォーカスモータ
１１５  ズームレンズ
１１５ａ  ズームモータ
１１６  シャッタ
１１６ａ  シャッタコントローラ
１２０、１２０’  信号処理部
１２０ａ  アナログ処理（Ａ／Ｄ）部
１２０ｂ、１２０ｂ’  デジタル信号処理部
１２０ｃ、１２０ｃ’  ドライバ
１２１、１２１’  システムコントローラ
１２２、１２２’  画像信号処理部
１２３、１２３’  表示用画像処理部
１２４、１２４’  画像圧縮部
１２５、１２５’  メディアコントローラ
１２６  ＡＦ／ＡＥ演算部
１２７、１２７’  キーコントローラ
１２８  バッファメモリ
１２９  内部メモリ
１２００  バス
１３０  ＬＣＤ
１５０  レリーズスイッチ
１６０  メニューボタン
１７０  撮影モードボタン
１８０  表示ボタン
１９０  モードスイッチ
１９１  マクロボタン
１９２  ズームレバー
１９３  ストロボボタン
【図１】
2006135761.tif 000003
【図２】
2006135761.tif 000004
【図３】
2006135761.tif 000005
【図４】
2006135761.tif 000006
【図５】
2006135761.tif 000007
【図６】
2006135761.tif 000008
【図７】
2006135761.tif 000009
【図８】
2006135761.tif 000010
【図９】
2006135761.tif 000011